(57)【要約】【課題】バッテリーの診断情報等をネットワークを介してセンターコンピューターによって一元管理することによって、バッテリーの診断・点検に基づく保全更新計画を作成することのできるバッテリートータルサポートシステムを提供する。【解決手段】バッテリーの情報が登録されたバッテリーデータベースを有するセンターコンピューターを備え、ネットワークを介してユーザー端末から送信される被診断バッテリーのバッテリー関連情報をセンターコンピューターにおいて解析するとともに、バッテリー関連情報に基づいて解析された診断点検情報をバッテリーデータベースに登録し、センターコンピューターにおいてバッテリーデータベースに登録された診断点検情報に基づいてバッテリー保全更新計画情報を作成するとともに、バッテリーデータベースに登録する。【選択図】図１
2010198117.tif 000002
【特許請求の範囲】
【請求項１】
バッテリーの情報が登録されたバッテリーデータベースを有するセンターコンピューターを備え、
ネットワークを介してユーザー端末から送信される対象バッテリーのバッテリー関連情報をセンターコンピューターにおいて解析するとともに、
前記バッテリー関連情報に基づいて解析されたバッテリー解析情報を前記バッテリーデータベースに登録し、
前記センターコンピューターにおいて前記バッテリーデータベースに登録されたバッテリー解析情報に基づいてユーザー通知情報を作成するとともに、前記バッテリーデータベースに登録することを特徴とするバッテリートータルサポートシステム。
【請求項２】
前記バッテリー関連情報が、対象バッテリーの電圧電流変化情報であり、
前記バッテリー解析情報が、診断点検情報であり、
前記ユーザー通知情報が、バッテリー保全更新計画情報であることを特徴とするバッテリートータルサポートシステム。
【請求項３】
前記電圧電流変化情報に基づいてバッテリー治療情報を作成するとともに、前記バッテリーデータベースに登録することを特徴とする請求項２に記載のバッテリートータルサポートシステム。
【請求項４】
前記センターコンピューターは、前記ユーザー端末からの要求に基づいて、前記診断点検情報をユーザー端末に送信することを特徴とする請求項２または３に記載のバッテリートータルサポートシステム。
【請求項５】
前記センターコンピューターは、前記ユーザー端末からの要求に基づいて、前記バッテリー治療情報をユーザー端末に送信することを特徴とする請求項３または４に記載のバッテリートータルサポートシステム。
【請求項６】
前記ユーザー端末は、バッテリー充電器、バッテリー診断器、バッテリー異常検出器、バッテリー保全器のうち少なくとも１つから構成されるバッテリーサポート装置と接続されているとともに、前記バッテリーサポート装置は、前記対象バッテリーから電圧電流変化情報を収集することを特徴とする請求項２から５のいずれかに記載のバッテリートータルサポートシステム。
【請求項７】
前記バッテリー関連情報が、対象バッテリーの消費電力情報であり、
前記バッテリー解析情報が、バッテリー使用情報であり、
前記ユーザー通知情報が、課金情報であることを特徴とする請求項１に記載のバッテリートータルサポートシステム。
【請求項８】
前記課金情報に基づいて、請求書を発行することを特徴とする請求項７に記載のバッテリー課金システム。
【請求項９】
前記請求書が発行された際に、前記請求書を前記ユーザー端末に自動的に送信することを特徴とする請求項８に記載のバッテリー課金システム。
【発明の詳細な説明】
【技術分野】
【０００１】
本発明は、バッテリーの劣化状態などのバッテリー診断情報をセンターコンピューターによって一元的に管理することによって、バッテリーの状態管理や再生時期の管理などを複合的に行うことができるバッテリートータルサポートシステムに関する。
【背景技術】
【０００２】
フォークリフトやゴルフカート、構内電動車両等のバッテリーを動力源とする電動車両では、長年使用していると、突然にバッテリー故障が生じ、使用困難となり、運搬業務等に問題が生じることがある。
【０００３】
このような故障を事前に検出し、対策を取れるようにするためには、バッテリーの日常のメンテナンスを改善する必要がある。
そこで、従来は個別にバッテリーの診断や点検を行うための道具や検査手法を用いて、バッテリーを個別に診断・点検を行っていた。
【発明の概要】
【発明が解決しようとする課題】
【０００４】
しかしながら、このような方法では、バッテリーの管理はバッテリーを購入した所有者がそれぞれ行うこととなるが、バッテリーの診断・点検には人手が必要となり、また、正しく診断・点検を行うためには十分な知識を必要とし一般的には困難な作業である。
【０００５】
また、バッテリーの管理が所有者に委ねられているため、バッテリーの廃棄までの使用経過を確認すること、すなわちトレーサビリティが困難である。
使用困難となったバッテリーであっても、再利用可能な場合があり、バッテリーを再利用した場合には、バッテリーを作成した場合と比較して約２０分の１程度のエネルギーで済み、環境保護の目的のためにバッテリーのトレーサビリティは重要となる。
【０００６】
本発明は、このような現状に鑑み、バッテリーの診断情報等をネットワークを介してセンターコンピューターによって一元管理することによって、バッテリーの診断・点検に基づく保全更新計画を作成することのできるバッテリートータルサポートシステムを提供することを目的とする。
【０００７】
また、本発明は、バッテリーの使用情報等をネットワークを介してセンターコンピューターによって一元管理することによって、バッテリーの消費電力に応じた課金システムを提供することを目的とする。
【課題を解決するための手段】
【０００８】
本発明は、前述したような従来技術における課題及び目的を達成するために発明なされたものであって、本発明のバッテリートータルサポートシステムは、
バッテリーの情報が登録されたバッテリーデータベースを有するセンターコンピューターを備え、
ネットワークを介してユーザー端末から送信される対象バッテリーのバッテリー関連情報をセンターコンピューターにおいて解析するとともに、
前記バッテリー関連情報に基づいて解析されたバッテリー解析情報を前記バッテリーデータベースに登録し、
前記センターコンピューターにおいて前記バッテリーデータベースに登録されたバッテリー解析情報に基づいてユーザー通知情報を作成するとともに、前記バッテリーデータベ
ースに登録することを特徴とする。
【０００９】
また、本発明のバッテリートータルサポートシステムは、前記バッテリー関連情報が、対象バッテリーの電圧電流変化情報であり、
前記バッテリー解析情報が、診断点検情報であり、
前記ユーザー通知情報が、バッテリー保全更新計画情報であることを特徴とする。
【００１０】
また、本発明のバッテリートータルサポートシステムは、前記バッテリー関連情報に基づいてバッテリー治療情報を作成するとともに、前記バッテリーデータベースに登録することを特徴とする。
【００１１】
また、本発明のバッテリートータルサポートシステムは、前記センターコンピューターは、前記ユーザー端末からの要求に基づいて、前記診断点検情報をユーザー端末に送信することを特徴とする。
【００１２】
また、本発明のバッテリートータルサポートシステムは、前記センターコンピューターは、前記ユーザー端末からの要求に基づいて、前記バッテリー治療情報をユーザー端末に送信することを特徴とする。
【００１３】
また、本発明のバッテリートータルサポートシステムは、前記ユーザー端末は、バッテリー充電器、バッテリー診断器、バッテリー異常検出器、バッテリー保全器のうち少なくとも１つから構成されるバッテリーサポート装置と接続されているとともに、前記バッテリーサポート装置は、前記被診断バッテリーからバッテリー関連情報を収集することを特徴とする。
【００１４】
また、本発明のバッテリートータルサポートシステムは、前記バッテリー関連情報が、対象バッテリーの消費電力情報であり、
前記バッテリー解析情報が、バッテリー使用情報であり、
前記ユーザー通知情報が、課金情報であることを特徴とする。
【００１５】
また、本発明のバッテリートータルサポートシステムは、前記課金情報に基づいて、請求書を発行することを特徴とする。
また、本発明のバッテリートータルサポートシステムは、前記請求書が発行された際に、前記請求書を前記ユーザー端末に自動的に送信することを特徴とする。
【発明の効果】
【００１６】
本発明によれば、バッテリーの診断・点検をネットワークを介してセンターコンピューターによって一元管理して行っているため、各バッテリーの所有者はバッテリーの診断・点検のために人手を要する必要がない。
【００１７】
また、センターコンピューターによって各バッテリーの診断点検情報を一元管理し、保全更新計画情報を作成しているため、センターコンピューターにおいて各バッテリーの状態を常時把握することができ、バッテリーのトレーサビリティを実現可能とする。
【００１８】
また、多数のバッテリーの診断点検情報を一元管理することができるので、バッテリーの問題点や季節対策等のバッテリー共通の対策情報を得やすく、また、対策情報をユーザーに提供することが可能となる。
【００１９】
また、本発明によれば、バッテリーの消費電力情報や使用情報等をネットワークを介してセンターコンピューターによって一元管理しているため、消費電力に応じた課金を行う
ようにしてバッテリーを提供することができる。
【図面の簡単な説明】
【００２０】
【図１】図１は、本発明のバッテリートータルサポートシステムの第１の実施例の構成概要図である。
【図２】図２は、本発明のバッテリートータルサポートシステムの第２の実施例の構成概要図である。
【図３】図３は、本発明のバッテリートータルサポートシステムの第３の実施例の構成概要図である。
【発明を実施するための形態】
【００２１】
以下、本発明の実施の形態（実施例）を図面に基づいてより詳細に説明する。
図１は、本発明のバッテリートータルサポートシステムの第１の実施例の構成概要図である。
本発明のバッテリートータルサポートシステム１０は、センターコンピューター２０とユーザー端末３０とが、ネットワーク５０を介して接続されている。
【００２２】
なお、本実施例において、ネットワーク５０は、特に限定されるものではないが、インターネット、ＬＡＮ（Local Area Network：ローカルエリアネットワーク）、ＷＡＮ（Wide Area Network：ワイドエリアネットワーク）、ＶＰＮ（Virtual Private Network：仮想プライベートネットワーク）などを用いることができる。
【００２３】
また、ユーザー端末３０は、例えば、バッテリー充電器、バッテリー診断器、バッテリー異常検出器、バッテリー保全器等から構成されるバッテリーサポート装置３２と接続されている。バッテリーサポート装置３２は、必要に応じてバッテリー４０と接続され、バッテリー４０の診断・点検に必要なバッテリー関連情報である電圧電流変化情報を収集し、ユーザー端末３０に送信する。
【００２４】
ここで、電圧電流変化情報とは、バッテリー４０の放電時、または、充電時における時間とバッテリー電圧及び電流の関係を示すデータのことであるが、これに限らず、放電時、または、充電時における時間とバッテリー容量の関係など、バッテリーの充電特性、または、放電特性を示すデータであれば構わない。
【００２５】
なお、ユーザー端末３０は、例えば、パーソナルコンピューターなどの汎用コンピューターでもよいし、バッテリーサポート装置３２から送信される電圧電流変化情報をセンターコンピューター２０に送信し、また、センターコンピューター２０から送信される診断点検情報を受信・表示するためだけの専用コンピューターなどでも構わない。
【００２６】
このように構成されたバッテリートータルサポートシステム１０では、ユーザーがバッテリー４０をバッテリーサポート装置３２に接続することによって、バッテリーの診断・点検に必要となる電圧電流変化情報を収集し、ユーザー端末３０に送信・保存されることになる。
【００２７】
なお、バッテリーサポート装置３２は、少なくとも、バッテリー充電器、バッテリー診断器、バッテリー異常検出器、バッテリー保全器から構成されていればよいが、バッテリー充電器とバッテリー診断器を組み合わせたバッテリーサポート装置３２とすることが好ましい。
【００２８】
このように、バッテリー充電器とバッテリー診断器を組み合わせたバッテリーサポート装置３２を用いることによって、バッテリー４０を充電する際にバッテリー４０の診断を
行うことが可能となる。
【００２９】
バッテリー４０の充電は、日常的に行われる作業であるため、ユーザーはバッテリー４０の診断を意識することなく行うことが可能となり、また、バッテリー４０の診断・点検を日常的に行うことができるので、診断・点検を十分に行うことができる。
【００３０】
そして、ユーザー端末３０に保存された電圧電流変化情報は、例えば、インターネットなどのネットワークを介してセンターコンピューター２０に送信される。
なお、本発明においてセンターコンピューター２０は１台のコンピューターとして図示されているが、診断・点検するバッテリーの数などに応じて複数台のコンピューターを接続したものとすることもできる。
【００３１】
センターコンピューター２０には、各バッテリーの情報が登録されたバッテリーデータベース２２を有しており、このバッテリーデータベース２２を共有することによって、複数台のコンピューターを用いた場合であっても、バッテリーの一元管理をすることができる。
【００３２】
このようにして、センターコンピューター２０に送信された電圧電流変化情報に基づいて、バッテリー４０の診断・点検が行われ、バッテリーの診断点検情報、及び、必要に応じてバッテリー治療情報が作成される。
バッテリー４０の診断・点検は、特に限定されるものではないが、例えば、バッテリー４０の充電時のバッテリー電圧の変化に基づいて行ったり、バッテリー４０の充電に要した時間に基づいて行ったりすることができ、また、複数の手法を組み合わせて診断・点検することもできる。
【００３３】
そして、このようにして得られたバッテリー４０の診断点検情報、及び、バッテリー治療情報は、バッテリー４０に対応付けて、バッテリーデータベース２２に登録される。
なお、バッテリー治療情報とは、バッテリー４０のセル電圧のアンバランスの度合いや、充電・放電特性などの劣化パターンに応じて、それらの劣化状態を改善するための情報である。
【００３４】
この劣化パターンと、それに応じた改善策は、事前にセンターコンピューターに登録されており、電圧電流変化情報と劣化パターンを比較することによって、自動的に改善策としてのバッテリー治療情報が選択される。
【００３５】
また、センターコンピューター２０では、バッテリーデータベース２２に登録されたバッテリー４０の固有情報、及び、バッテリー４０の診断点検情報に基づいて、バッテリー保全更新計画情報が作成され、バッテリー４０に対応付けて、バッテリーデータベース２２に登録される。
【００３６】
バッテリー保全計画情報とは、例えば、バッテリー４０の寿命や代替バッテリーの準備タイミングなどを含む情報である。また、上述するバッテリー治療情報を含めてもよい。
このバッテリー保全計画情報をユーザーに提供することによって、ユーザーはバッテリー４０の交換タイミングなどを容易に知ることができる。
【００３７】
なお、バッテリー保全計画情報は、ネットワーク５０を介してユーザー端末３０に送信してもよいし、バッテリーの作成、再生、保全等を行うバッテリー工場に提供することによってバッテリー４０の再生、保全を行うための活用することもできる。
【００３８】
図２は、本発明のバッテリートータルサポートシステム１０の第２の実施例の構成概要
図である。
この実施例の構成は、基本的には、図１に示す第１の実施例の構成と同様であり、同一の構成要素には同一の符号を付して、その詳細な説明を省略する。
【００３９】
第２の実施例のバッテリートータルサポートシステム１０では、センターコンピューター２０とユーザー端末３０との接続において、サブコンピューター２４を介している。
サブコンピューター２４は、例えば、バッテリーの代理店などのバッテリーの販売やバッテリー診断等のフォローなどを行う店舗などに設置されている。
【００４０】
このように、サブコンピューター２４を介することによって、サブコンピューター２４が設置された店舗等において、顧客のバッテリー４０のバッテリー関連情報や診断点検情報等を保持することができ、ユーザーのフォローが適切に行うことができるので、きめ細かいユーザーフォローが可能となる。
【００４１】
また、センターコンピューター２０からバッテリー保全計画情報をサブコンピューター２４に送信することによって、サブコンピューター２４が設置された店舗等を介してユーザーにバッテリー保全計画情報を提供することができる。
【００４２】
図３は、本発明のバッテリートータルサポートシステム１０の第３の実施例の構成概要図である。
この実施例の構成は、基本的には、図１に示す第１の実施例の構成と同様であり、同一の構成要素には同一の符号を付して、その詳細な説明を省略する。
【００４３】
第３の実施例のバッテリートータルサポートシステム１０では、バッテリー４０にバッテリーの消費電力を計測するための電力計３４が接続されており、バッテリーの消費電力量をユーザー端末３０に送信する。
【００４４】
そして、ユーザー端末３０は、電力計３４から送信される消費電力情報をセンターコンピューター２０に送信する。なお、ユーザー端末３０と電力計３４は一体としても構わない。
【００４５】
センターコンピューター２０では、送信された消費電力情報に基づいて、バッテリーの使用状況を解析し、この解析結果であるバッテリー使用情報をバッテリーデータベース２２に登録される。
【００４６】
また、センターコンピューター２０では、バッテリーデータベース２２に登録されたバッテリー４０の固有情報、及び、バッテリー４０の使用情報に基づいて、課金情報が作成され、バッテリー４０に対応付けて、バッテリーデータベース２２に登録される。
【００４７】
この課金情報に基づいて、請求書が発行され、バッテリー４０のユーザーに、例えば、電子メールや専用ウェブページなどを通じて送信したり、印刷することによって送付することになる。
【００４８】
このように、バッテリーの使用情報等をネットワークを介して、センターコンピューターによって一元管理することによって、ユーザーはバッテリーの購入をする必要がなくなり、バッテリーの使用状況に応じた料金を支払えばよい。
【００４９】
さらに、上述するような第１の実施例及び第２の実施例におけるバッテリートータルサポートシステムと組み合わせることによって、バッテリーの課金処理だけではなく、バッテリーの保全・管理までを含めてサポートすることが可能となる。
【００５０】
以上、本発明の好ましい実施例を説明したが、本発明はこれに限定されることはなく、例えば、上記の実施例では、センターコンピューターとして１台のサーバーコンピューターを用いているが、複数のサーバーコンピューターによってセンターコンピューターを構成してもよいなど、本発明の目的を逸脱しない範囲で種々の変更が可能である。
【符号の説明】
【００５１】
１０   バッテリートータルサポートシステム
２０   センターコンピューター
２２   バッテリーデータベース
２４   サブコンピューター
３０   ユーザー端末
３２   バッテリーサポート装置
３４   電力計
４０   バッテリー
５０   ネットワーク
【図１】
2010198117.tif 000003
【図２】
2010198117.tif 000004
【図３】
2010198117.tif 000005